(57)【要約】【課題】複数の異なる形状での通話が可能である場合にも、確実にエコーをキャンセルし、良好な通話品質を実現すること。【解決手段】表示部筐体ケース１００は、操作部筐体ケース２００に対してスライド可能に取り付けられている。基板３０１の下面には、マイク３０２が実装されている。また、基板３０１の上面には、受話音声を出力するレシーバが実装されている。つまり、マイク３０２およびレシーバは、同一の基板３０１の異なる面に実装される。ユーザの発話音声などの筐体外部の音声は、集音孔１６０から表示部筐体ケース１００および操作部筐体ケース２００の間の隙間に進入する。そして、２つの筐体ケースの間の隙間に進入した音声は、貫通孔３０５を介してマイク３０２に入力される。【選択図】        図３
2010130106.tif 000002
【特許請求の範囲】
【請求項１】
表示部を備える第１の筐体と、
前記第１の筐体に可動連結され、ユーザの操作を受け付ける操作部を備える第２の筐体とを有し、
前記第１の筐体は、
通話時に受信される受話音声を出力するレシーバと、
装置外部に向かって開口し、前記レシーバによって出力される受話音声を含む自装置の周囲の音声を集音する集音部と、
前記集音部によって集音された音声を取得するマイクと
を有することを特徴とする無線通信端末装置。
【請求項２】
前記第１の筐体は、
前記レシーバおよび前記マイクが同一の面に実装される基板をさらに有することを特徴とする請求項１記載の無線通信端末装置。
【請求項３】
前記マイクは、
前記基板に形成された貫通孔を塞ぐ位置に実装されることを特徴とする請求項２記載の無線通信端末装置。
【請求項４】
前記集音部は、
前記第１の筐体の一部に前記開口を形成し、前記開口から進入する音声を前記マイクへ向けて案内する貫通孔が形成されたブラケット部と、
前記ブラケット部および前記基板によって挟持され、前記ブラケット部に形成された貫通孔および前記基板に形成された貫通孔に接続する貫通孔が形成された緩衝部と
を有することを特徴とする請求項３記載の無線通信端末装置。
【請求項５】
前記ブラケット部は、
前記開口から進入する音声を前記マイクへ向けて案内する貫通孔が形成されるとともに、当該貫通孔の周囲の面によって前記緩衝部を圧縮するダクト部材を有することを特徴とする請求項４記載の無線通信端末装置。
【発明の詳細な説明】
【技術分野】
【０００１】
本発明は、無線通信端末装置に関する。
【背景技術】
【０００２】
一般に、例えば携帯電話機などの通話機能を有する無線通信端末装置の中には、非通話時と通話時とで形状を変更可能なものがある。すなわち、所謂折り畳み型携帯電話機やスライド型携帯電話機などは、非通話時には折り畳まれた状態や収縮した状態で携帯されることにより、良好な携帯性を確保するともに、通話時には広げられた状態や伸長した状態で使用されることにより、通話や操作の利便性を確保している。
【０００３】
このような無線通信端末装置の筐体は、通常２つの筐体ケースに分割されており、一方の筐体ケースに対して他方の筐体ケースが可動連結されている。すなわち、例えばスライド型携帯電話機では、キーなどの操作部を備える操作部筐体ケースに対してディスプレイなどの表示部を備える表示部筐体ケースが摺動可能に取り付けられている。したがって、ユーザは、非通話時には操作部筐体ケースと表示部筐体ケースとが完全に重なる収縮状態にして無線通信端末装置を携帯し、通話時には表示部筐体ケースを摺動させることにより伸長状態にして操作部筐体ケースのキーなどを操作することができる。
【０００４】
しかし、非通話時の収縮状態である場合に完全に通話が不可能であると、例えば着信時には無線通信端末装置の形状を伸長状態に変更してから通話を開始しなければならず、迅速な通話開始に支障が生じることがある。そこで、近年では、収縮状態でも通話可能な無線通信端末装置が多く製品化されている。このような無線通信端末装置では、表示部のほかにも主要な操作キーなどを表示部筐体ケースに設けることにより、収縮状態でも通話に必要な最低限の操作を可能にしている。また、最近では、液晶パネルとタッチパネルを組み合わせて表示部筐体ケースに実装することにより、表示部筐体ケースの表示部（すなわち液晶パネル）が視認可能でさえあれば、収縮状態でもより多くの動作が可能となっている。
【０００５】
このような無線通信端末装置を用いて収縮状態のまま通話する場合には、表示部筐体ケースに設けられたレシーバから出力される受話音声が、表示部筐体ケースと操作部筐体ケースの間の隙間を経由して操作部筐体ケースに設けられたマイクへ入力されやすく、エコーが生じやすい。このため、表示部筐体ケースと操作部筐体ケースの間の隙間に突起を設け、レシーバから出力される受話音声を遮断することなどが検討されている。
【０００６】
【特許文献１】特開２００６−１３５８８９号公報
【発明の開示】
【発明が解決しようとする課題】
【０００７】
通話機能を有する無線通信端末装置において、レシーバから出力された受話音声がマイクへ入力されて多少のエコーが発生することは、不可避の現象であり、特にマイクの性能が向上して感度が良くなれば、エコーが発生しやすくなる。したがって、通常は、電気的にエコーをキャンセルする処理が実行されており、大部分のエコーは消去されて通話品質が良好に保たれる。
【０００８】
しかしながら、上述したような収縮状態でも伸長状態でも通話可能な無線通信端末装置においては、収縮状態でのエコー特性と伸長状態でのエコー特性とが異なっており、確実なエコーキャンセルが困難であるという問題がある。具体的には、収縮状態での通話時と伸長状態での通話時とでは、レシーバとマイクの距離が異なるためエコー特性が変化し、例えば収縮状態では十分にエコーをキャンセルできても伸長状態では十分にエコーをキャンセルできないことなどが考えられる。
【０００９】
すなわち、収縮状態では、表示部筐体ケースに設けられたレシーバと操作部筐体ケースに設けられたマイクとの間の距離が比較的小さいが、表示部筐体ケースを摺動させるにつれ、レシーバとマイクの間の距離は大きくなる。そして、レシーバとマイクの距離が変化すれば、マイクへ到達する受話音声の音量が変化し、エコー特性が変化することになる。したがって、画一的なエコーキャンセルでは、収縮状態および伸長状態におけるエコーを確実にキャンセルすることができない。
【００１０】
このような問題は、スライド型携帯電話機のみではなく、例えばヒンジによって表示部筐体ケースと操作部筐体ケースとが回転可能に連結されている回転型携帯電話機などでも同様に発生する。つまり、形状の変更が可能な無線通信端末装置において、通話可能な形状が複数ある場合には、それぞれの形状でエコー特性が変化することがあり、いずれかの形状では十分にエコーキャンセルができない虞がある。
【００１１】
本開示の装置はかかる点に鑑みてなされたものであり、複数の異なる形状での通話が可能である場合にも、エコーをキャンセルし、良好な通話品質を実現することができる無線通信端末装置を提供することを目的とする。
【課題を解決するための手段】
【００１２】
上記課題を解決するために、無線通信端末装置は、表示部を備える第１の筐体と、前記第１の筐体に可動連結され、ユーザの操作を受け付ける操作部を備える第２の筐体とを有し、前記第１の筐体は、通話時に受信される受話音声を出力するレシーバと、装置外部に向かって開口し、前記レシーバによって出力される受話音声を含む自装置の周囲の音声を集音する集音部と、前記集音部によって集音された音声を取得するマイクとを有する構成を採る。
【００１３】
これにより、第２の筐体に対して第１の筐体が動いてもレシーバとマイク間の距離が変化することがなく、レシーバから出力される受話音声がマイクへ入力されることによって発生するエコーの特性が変化しない。結果として、特性が変化しないエコーに対する対策を講じれば、複数の異なる形状での通話が可能である場合にも、エコーをキャンセルし、良好な通話品質を実現することができる。
【発明の効果】
【００１４】
本明細書に開示された無線通信端末装置によれば、複数の異なる形状での通話が可能である場合にも、エコーをキャンセルし、良好な通話品質を実現することができる。
【発明を実施するための最良の形態】
【００１５】
以下、本開示の装置の実施の形態について、図面を参照して詳細に説明する。なお、以下においては、本実施の形態をスライド型携帯電話機に適用する場合について説明するが、その他例えば回転型携帯電話機など、複数の通話可能形状を有する無線通信端末装置に広く適用することができる。
【００１６】
（実施の形態１）
図１および図２は、本実施の形態１に係る無線通信端末装置の外観を示す斜視図である。これらの図に示す無線通信端末装置の筐体は、大きく表示部筐体ケース１００と操作部筐体ケース２００とに分割されている。そして、表示部筐体ケース１００は、操作部筐体ケース２００に対して長手方向にスライド可能に取り付けられている。すなわち、図１に示す収縮状態から表示部筐体ケース１００を長手方向にスライドさせると、図２に示す伸長状態となる。そして、この無線通信端末装置は、収縮状態および伸長状態のどちらの形状でも通話することが可能である。
【００１７】
図１および図２に示すように、表示部筐体ケース１００には、液晶パネル１１０、照度センサ１２０、着信ＬＥＤ（Light Emitting Diode）１３０、発音孔１４０、カメラ１５０、および集音孔１６０が設けられている。なお、照度センサ１２０、着信ＬＥＤ１３０、およびカメラ１５０は、同一の基板に実装されて表示部筐体ケース１００に格納されている。また、図２に示すように、操作部筐体ケース２００には、複数の操作キー２１０が整列して設けられている。
【００１８】
液晶パネル１１０は、無線通信端末装置による処理の結果出力される画像を表示する。また、液晶パネル１１０の裏面には図示しないタッチパネルが貼付されており、ユーザが液晶パネル１１０の表面に接触すると、タッチパネルがユーザの接触位置を検知し、検知された接触位置に応じた操作を受け付ける。具体的には、例えば無線通信端末装置に着信があると、液晶パネル１１０には着信中である旨が表示され、ユーザが液晶パネル１１０に表示された通話開始ボタンに接触すると、通話開始ボタンに対する接触がタッチパネルによって検知され、通話開始の処理が実行される。
【００１９】
照度センサ１２０は、周囲の照度を測定する。測定された照度は、液晶パネル１１０の表示画面の明るさを適切に制御する際に用いられる。着信ＬＥＤ１３０は、無線通信端末装置が着信した際、例えば点滅を繰り返す。なお、無線通信端末装置は、着信ＬＥＤ１３０の点滅を繰り返すほかにも、図示しないスピーカから着信音を出力したり、図示しないモータの回転によって筐体を振動させたりすることにより、ユーザに対して着信したことを通知する。
【００２０】
発音孔１４０は、基板に設置されたレシーバ近傍において表示部筐体ケース１００に穿設された貫通孔であり、レシーバから出力される受話音声を表示部筐体ケース１００の外部へ発音する。なお、レシーバは、上述した照度センサ１２０、着信ＬＥＤ１３０、およびカメラ１５０と同一の基板に実装されている。カメラ１５０は、ユーザの操作に応じて撮像処理を実行する。撮像処理により得られた画像は、例えば液晶パネル１１０に表示されたり、図示しない記録媒体に記憶されたりする。
【００２１】
集音孔１６０は、基板に設置されたマイク近傍において表示部筐体ケース１００に穿設された貫通孔であり、表示部筐体ケース１００の外部の音声を集音してマイクへ入力する。集音孔１６０は、表示部筐体ケース１００と操作部筐体ケース２００との境界付近に設けられており、集音孔１６０によって集音される音声は、２つの筐体ケースの間の隙間に進入する音声とともにマイクに到達する。なお、マイクは、上述した照度センサ１２０、着信ＬＥＤ１３０、およびカメラ１５０と同一の基板に実装されている。
【００２２】
すなわち、マイクは、レシーバと同一の基板に実装されており、マイクおよびレシーバが基板とともに表示部筐体ケース１００の内部に格納されている。したがって、操作部筐体ケース２００に対して表示部筐体ケース１００をスライドさせても、レシーバとマイクの間の距離は変化せず、エコー特性が変化しない。この結果、収縮状態でのエコーを十分にキャンセルすることができるエコーキャンセラであれば、伸長状態でのエコーも十分にキャンセルすることができる。したがって、通話時の無線通信端末装置の形状に関わらず、エコーを十分に消去して通話品質を良好にすることができる。
【００２３】
操作キー２１０は、表示部筐体ケース１００が長手方向にスライドして伸長状態となった際に押下可能となり、例えば電話番号の指定などのユーザによる操作を受け付ける。操作キー２１０において操作が受け付けられると、操作に応じた種々の処理が実行され、必要な画像が液晶パネル１１０に表示される。
【００２４】
次いで、本実施の形態に係る無線通信端末装置のマイク周辺の構成について、図３を参照しながら説明する。図３は、本実施の形態に係る無線通信端末装置が収縮状態である場合のマイク周辺の断面を示す模式図である。なお、以下の説明においては、収縮状態において操作部筐体ケース２００から表示部筐体ケース１００へ向かう方向を上方向とし、表示部筐体ケース１００から操作部筐体ケース２００へ向かう方向を下方向とする。
【００２５】
図３に示すように、樹脂製の基板３０１の下面には、マイク３０２が実装されている。この基板３０１の上面には、図１に示した照度センサ１２０、着信ＬＥＤ１３０、およびカメラ１５０に加え、受話音声を出力するレシーバが実装されている。すなわち、マイク３０２は、表示部筐体ケース１００および操作部筐体ケース２００の間の隙間に進入する音声を効率的に集音するために、基板３０１の操作部筐体ケース２００に対向する面に実装される。一方、レシーバは、ユーザの耳との距離を小さくして受話音声が明瞭に聞こえるように、基板３０１の液晶パネル１１０に対向する面に実装される。つまり、マイク３０２およびレシーバは、同一の基板３０１の異なる面に実装される。
【００２６】
また、表示部筐体ケース１００には、ブラケット部３０４が係止されており、マイク３０２およびブラケット部３０４によって、緩衝部材となるマイクパッキン３０３が圧縮挟持されている。そして、マイクパッキン３０３およびブラケット部３０４には、マイク３０２と表示部筐体ケース１００および操作部筐体ケース２００の間の隙間とを導通させる貫通孔３０５が穿設されている。マイクパッキン３０３は、例えばウレタンゴムやシリコンゴムなどの弾性を有する柔らかい材料から構成されており、マイク３０２およびブラケット部３０４によって圧縮挟持されることにより、貫通孔３０５の周囲を密閉している。
【００２７】
一方、集音孔１６０は、表示部筐体ケース１００および操作部筐体ケース２００の境界付近に穿設されている。したがって、ユーザの発話音声などの筐体外部の音声は、集音孔１６０から表示部筐体ケース１００および操作部筐体ケース２００の間の隙間に進入する。そして、２つの筐体ケースの間の隙間に進入した音声は、貫通孔３０５を介してマイク３０２に入力される。ここで、マイクパッキン３０３がマイク３０２およびブラケット部３０４によって圧縮挟持されているため、貫通孔３０５の周囲が密閉され、貫通孔３０５の周囲に音声が拡散することがない。結果として、集音孔１６０によって集音された音声を無駄なくマイク３０２に到達させることができる。
【００２８】
また、上述したように、基板３０１にはレシーバも実装されており、レシーバから出力される受話音声がマイク３０２へ到達するが、収縮状態でも伸長状態でもレシーバとマイク３０２の位置関係が変化しない。このため、無線通信端末装置の形状によってエコー特性が変化することがなく、受話音声がマイク３０２へ入力されることによって発生するエコーを確実にキャンセルすることができる。
【００２９】
以上のように、本実施の形態によれば、操作部筐体ケースと表示部筐体ケースに分割され、操作部筐体ケースに対して表示部筐体ケースがスライド可能である無線通信端末装置において、マイクとレシーバを表示部筐体ケース内の基板に実装する。このため、操作部狂態ケースに対して表示部筐体ケースをスライドさせても、マイクとレシーバの位置関係が変化せず、エコー特性が変化しない。結果として、複数の異なる形状での通話が可能である場合にも、確実にエコーをキャンセルし、良好な通話品質を実現することができる。
【００３０】
（実施の形態２）
上記実施の形態１においては、マイク３０２とレシーバがそれぞれ基板３０１の異なる面に実装されているため、マイク３０２が実装される付近においては、基板３０１の上方に空間が形成されることになる。このため、マイク３０２が実装される付近においては、基板３０１が上方に反った形状に変形しやすく、マイク３０２がマイクパッキン３０３を十分に圧縮できないため、マイクパッキン３０３に設けられた貫通孔付近の密閉性が確保されないことがある。そこで、本発明の実施の形態２においては、マイクを基板のレシーバと同一の面に実装するとともに、集音のためのダクト部材を新たに挿入し、基板とダクト部材によってマイクパッキンをより強力に圧縮する構成について説明する。
【００３１】
本実施の形態に係る無線通信端末装置の外観は、実施の形態１に係る無線通信端末装置の外観（図１および図２）と同様であるため、その説明を省略する。本実施の形態においては、マイク周辺の構造が実施の形態１とは異なっている。
【００３２】
図４は、本実施の形態に係る無線通信端末装置が収縮状態である場合のマイク周辺の断面を示す模式図である。同図において、図３と同じ部分には同じ符号を付している。
【００３３】
本実施の形態においては、基板３０１の上面にマイク３０２が実装されているとともに、マイク３０２の上方にはリブ４０３が突設されており、リブ４０３によってマイク３０２の上下方向の位置が固定されている。一方、マイク３０２の下方には基板３０１に貫通孔３０１ａが穿設されている。そして、集音孔１６０が設けられたブラケット部４０２にダクト部材４０１が固定されており、ダクト部材４０１の上面と基板３０１の下面によって、マイクパッキン３０３が圧縮挟持されている。
【００３４】
このように、リブ４０３によって固定されたマイク３０２が基板３０１の上面に実装されているため、基板３０１の上方には空間が形成されず、基板３０１が上方に反った形状に変形することがない。したがって、基板３０１は、下面に接するマイクパッキン３０３を強力に圧縮することができる。さらに、本実施の形態においては、マイクパッキン３０３とブラケット部４０２の間にダクト部材４０１が挿入されている。このため、マイクパッキン３０３の上下に余裕がなく、より強力にマイクパッキン３０３を圧縮挟持することができる。
【００３５】
また、ダクト部材４０１の上面には、マイクパッキン３０３の貫通孔および基板３０１の貫通孔３０１ａと接続する貫通孔が穿設されており、ダクト部材４０１がブラケット部４０２に固定されることにより、集音孔１６０によって集音された音声をダクト部材４０１の貫通孔へと案内する管状のダクトが形成される。ダクト部材４０１の貫通孔へ案内された音声は、マイクパッキンの貫通孔および基板３０１の貫通孔３０１ａを介してマイク３０２に入力される。このため、集音孔１６０によって集音された音声が、ダクト外に拡散することがなく、音響特性を改善することができる。なお、ダクト部材４０１の形状については、後に詳述する。
【００３６】
図５は、本実施の形態に係るマイク周辺の構成を示す組立図である。同図に示すように、マイク３０２は、基板３０１のレシーバと同一の面に実装され、この基板３０１が表示部筐体ケース１００に格納されている。そして、表示部筐体ケース１００は、操作部筐体ケース２００に対して長手方向にスライド可能に取り付けられている。
【００３７】
また、ダクト部材４０１は、下側に設けられた溝部が集音孔１６０に接続するようにブラケット部４０２に固定される。これにより、ダクト部材４０１の溝部とブラケット部４０２の上面とによってダクトが形成される。そして、ダクト部材４０１の上面に穿設された貫通孔は、マイクパッキン３０３の貫通孔および基板３０１の貫通孔３０１ａに連結する。さらに、基板３０１の貫通孔３０１ａを基板３０１の上面から塞ぐ位置にマイク３０２が実装される。これにより、集音孔１６０、ダクト部材４０１によって形成されるダクト、ダクト部材４０１の貫通孔、マイクパッキン３０３の貫通孔、および基板３０１の貫通孔３０１ａからなる音道が形成され、集音孔１６０によって集音された音声が確実にマイク３０２へ到達する。
【００３８】
このとき、マイク３０２が上方からリブ４０３によって押圧されており、これに伴って、マイクパッキン３０３が基板３０１の下面およびダクト部材４０１の上面によって強力に圧縮挟持されているため、各部品の貫通孔付近の密閉性が確保されており、音道からの音声の漏出がない。したがって、集音孔１６０によって集音された音声が確実にマイク３０２へ入力されることになる。また、本実施の形態においても実施の形態１と同様に、マイク３０２がレシーバと同一の基板３０１に実装されているため、無線通信端末装置が収縮状態であっても伸長状態であってもエコー特性が変化しない。結果として、無線通信端末装置における通話品質を改善することができる。
【００３９】
次いで、本実施の形態に係るダクト部材４０１の形状について、図６および図７を参照して説明する。図６は、ダクト部材４０１の上側形状を示す斜視図であり、図７は、ダクト部材４０１の下側形状を示す斜視図である。
【００４０】
ダクト部材４０１には、貫通孔４０１ａが穿設されているとともに、上側には、基板３０１の下面との間でマイクパッキン３０３を圧縮挟持するための圧縮部４０１ｂが周囲から隆起している。図６において、貫通孔４０１ａは、圧縮部４０１ｂに穿設されている。また、ダクト部材４０１の下側には、集音孔１６０に接続する溝部４０１ｃが形成されており、貫通孔４０１ａは、溝部４０１ｃの一端に穿設されている。溝部４０１ｃの周囲には、ブラケット部４０２の上面にダクト部材４０１を固着するための固着部４０１ｄが形成されている。
【００４１】
固着部４０１ｄがブラケット部４０２の上面に固着されることにより、溝部４０１ｃとブラケット部４０２の上面とによって管状のダクトが形成される。このダクトの一端は集音孔１６０に接続され、他端は貫通孔４０１ａを介してマイクパッキン３０３の貫通孔に接続される。このため、ダクト部材４０１によって形成されるダクトは、集音孔１６０によって集音された音声をマイクパッキン３０３の貫通孔へ案内することができる。なお、固着部４０１ｄは、例えば両面テープなどによってブラケット部４０２の上面に接着される。このため、ダクトの密閉性が確保され、ダクトから周囲へ音が漏出することがない。
【００４２】
また、圧縮部４０１ｂは、周囲よりも上方に隆起しているため、基板３０１の下面との間で強力にマイクパッキン３０３を圧縮挟持することができる。さらに、圧縮部４０１ｂの隆起により、ダクト部材４０１は、圧縮部４０１ｂにおいて周囲よりも厚くなっている。そして、圧縮部４０１ｂの裏側に溝部４０１ｃが形成されているため、圧縮部４０１ｂ以外の薄い部分に形成するよりも、溝部４０１ｃを深くすることができる。結果として、ダクトの断面積が大きくなり、音声の伝達効率を向上することができる。
【００４３】
以上のように、本実施の形態によれば、マイクを基板のレシーバと同一の面に実装し、基板のマイク実装部分には貫通孔を穿設し、リブによってマイクおよび基板を押圧するとともに、基板のマイクおよびレシーバが実装されていない面とダクト部材とによってマイクパッキンを圧縮挟持する。このため、マイクパッキンに対する圧縮によって基板に力が加わっても基板が変形することなく、基板とダクト部材によってより強力にマイクパッキンを圧縮挟持することができる。結果として、マイクへ入力される音声が通過する音道の密閉性を高めることができ、音響特性を向上することができる。
【００４４】
なお、上記実施の形態２においては、ブラケット部４０２とは別体としてダクト部材４０１を設ける構成について説明したが、ブラケット部４０２とダクト部材４０１を一体化した形状のブラケット部材によって表示部筐体ケース１００の集音孔近傍が形成されるようにしても良い。すなわち、表示部筐体ケース１００に開口する集音孔とマイクとの間に緩衝部材が配置される場合に、表示部筐体ケース１００の一部が周辺よりも隆起しており、隆起部分の内側が集音孔からの音声を案内するダクトとして機能するとともに、隆起部分の外側が緩衝部材を圧縮する圧縮部として機能すれば良い。
【００４５】
以上の実施の形態に関し、さらに以下の付記を開示する。
【００４６】
（付記１）表示部を備える第１の筐体と、
前記第１の筐体に可動連結され、ユーザの操作を受け付ける操作部を備える第２の筐体とを有し、
前記第１の筐体は、
通話時に受信される受話音声を出力するレシーバと、
装置外部に向かって開口し、前記レシーバによって出力される受話音声を含む自装置の周囲の音声を集音する集音部と、
前記集音部によって集音された音声を取得するマイクと
を有することを特徴とする無線通信端末装置。
【００４７】
（付記２）前記第１の筐体は、
一方の面に前記レシーバが実装され、他方の面に前記マイクが実装される基板をさらに有することを特徴とする付記１記載の無線通信端末装置。
【００４８】
（付記３）前記集音部は、
前記第１の筐体の一部に前記開口を形成し、前記開口から進入する音声を前記マイクへ向けて案内する貫通孔が形成されたブラケット部と、
前記ブラケット部および前記マイクによって挟持され、前記ブラケット部に形成された貫通孔に接続するとともに前記マイクに接する位置に貫通孔が形成された緩衝部と
を有することを特徴とする付記２記載の無線通信端末装置。
【００４９】
（付記４）前記第１の筐体は、
前記レシーバおよび前記マイクが同一の面に実装される基板をさらに有することを特徴とする付記１記載の無線通信端末装置。
【００５０】
（付記５）前記マイクは、
前記基板に形成された貫通孔を塞ぐ位置に実装されることを特徴とする付記４記載の無線通信端末装置。
【００５１】
（付記６）前記集音部は、
前記第１の筐体の一部に前記開口を形成し、前記開口から進入する音声を前記マイクへ向けて案内する貫通孔が形成されたブラケット部と、
前記ブラケット部および前記基板によって挟持され、前記ブラケット部に形成された貫通孔および前記基板に形成された貫通孔に接続する貫通孔が形成された緩衝部と
を有することを特徴とする付記５記載の無線通信端末装置。
【００５２】
（付記７）前記ブラケット部は、
前記開口から進入する音声を前記マイクへ向けて案内する貫通孔が形成されるとともに、当該貫通孔の周囲の面によって前記緩衝部を圧縮するダクト部材を有することを特徴とする付記６記載の無線通信端末装置。
【００５３】
（付記８）前記ダクト部材は、
前記第１の筐体の内面に固着される固着部と、
周囲から隆起して厚くなり、前記固着部が前記第１の筐体の内面に固着された場合に前記緩衝部に当接する圧縮面によって前記緩衝部を圧縮する圧縮部と、
前記圧縮部の圧縮面とは反対の面に設けられ、一端に前記緩衝部の貫通孔に接続する貫通孔が形成される溝部と
を有することを特徴とする付記７記載の無線通信端末装置。
【図面の簡単な説明】
【００５４】
【図１】実施の形態１に係る無線通信端末装置の外観を示す図である。
【図２】実施の形態１に係る無線通信端末装置の他の外観を示す図である。
【図３】実施の形態１に係るマイク周辺の断面を示す模式図である。
【図４】実施の形態２に係るマイク周辺の断面を示す模式図である。
【図５】実施の形態２に係るマイク周辺の構成を示す組立図である。
【図６】実施の形態２に係るダクト部材の上側形状を示す斜視図である。
【図７】実施の形態２に係るダクト部材の下側形状を示す斜視図である。
【符号の説明】
【００５５】
１００  表示部筐体ケース
１１０  液晶パネル
１２０  照度センサ
１３０  着信ＬＥＤ
１４０  発音孔
１５０  カメラ
１６０  集音孔
２００  操作部筐体ケース
２１０  操作キー
３０１  基板
３０１ａ  貫通孔
３０２  マイク
３０３  マイクパッキン
３０４、４０２  ブラケット部
３０５  貫通孔
４０１  ダクト部材
４０１ａ  貫通孔
４０１ｂ  圧縮部
４０１ｃ  溝部
４０１ｄ  固着部
４０３  リブ
【図１】
2010130106.tif 000003
【図２】
2010130106.tif 000004
【図３】
2010130106.tif 000005
【図４】
2010130106.tif 000006
【図５】
2010130106.tif 000007
【図６】
2010130106.tif 000008
【図７】
2010130106.tif 000009